(57)【要約】      （修正有）【課題】接続が堅固で、容易に緩みが生じないシャベル柄部の接続装置を提供する。【解決手段】シャベル柄部の接続装置は、シャベル柄部１およびシャベルさじ部を接続する接続モジュールを含み、接続モジュールは接続部品２および接続受部３を含む。接続部品２の前端に接続部２１および位置制限部２２が設置され、接続部２１に位置制限留め具２１１が設置され、接続受部３はシャベルさじ部内に嵌設される。接続受部３内に接続部２１を挿入させる接続溝が設けられ、接続溝の内壁に位置制限留め具２２を係入させる位置制限溝が設けられる。接続部品２は接続受部３内に挿着固定される。位置制限部２２の外側壁の一部分および接続受部３の内側壁の一部分が包囲して収容空洞を形成する。シャベル柄部１の一端は、収容空洞内に挿着固定される。【選択図】図２
0003223042.tif 000002
【実用新案登録請求の範囲】
【請求項１】
シャベル柄部（１）およびシャベルさじ部を接続する接続モジュールを含む、シャベル柄部の接続装置であって、接続モジュールが接続部品（２）および接続受部（３）を含み、前記接続部品（２）の前端に接続部（２１）および位置制限部（２２）が設置され、前記接続部（２１）に位置制限留め具（２１１）が設置され、前記接続受部（３）が前記シャベルさじ部内に嵌設され、前記接続受部（３）内に前記接続部（２１）を挿入させる接続溝（３１）が設けられ、前記接続溝（３１）の内壁に前記位置制限留め具（２１１）を係入させる位置制限溝（３１１）が設けられ、前記接続部品（２）は前記接続受部（３）内に挿着固定され、前記位置制限部（２２）の外側壁の一部分および前記接続受部の内側壁の一部分が包囲して収容空洞（３３）を形成し、前記シャベル柄部の一端は収容空洞（３３）内に挿着固定されることを特徴とするシャベル柄部の接続装置。
【請求項２】
前記位置制限留め具（２１１）に前から後に傾斜して設置される第１斜面（２１１１）を有し、前記位置制限溝（３１１）外に前記第１斜面（２１１１）と適合し、前記位置制限留め具（２１１）を誘導して前記位置制限溝（３１１）に滑り込ませる第２斜面（３１１２）が設置され、前記位置制限溝（３１１）内に前記第１斜面（２１１１）とぴったりと合わせることができる第３斜面（３１１１）が設置されることを特徴とする、請求項１に記載のシャベル柄部の接続装置。
【請求項３】
前記位置制限留め具（２１１）が前記接続部品（２）の軸方向に沿って間隔を空けて分布し、のこぎり状の留め具を形成し、前記位置制限溝（３１１）は前記接続受部（３）の軸方向に沿って間隔を空けて分布し、のこぎり状の係着溝を形成し、前記接続部品（２）および前記接続受部（３）は、前記位置制限留め具（２１１）および前記位置制限溝（３１１）の相互の噛合により、係着固定してつながることを特徴とする、請求項２に記載のシャベル柄部の接続装置。
【請求項４】
前記シャベル柄部（１）および前記接続部品（２）は、挿着部分でリベットにより固定されてつながることを特徴とする、請求項１に記載のシャベル柄部の接続装置。
【請求項５】
前記位置制限留め具（２１１）は前記接続部の底部に設置され、前記接続部の最上部に補強板が設けられることを特徴とする、請求項１に記載のシャベル柄部の接続装置。
【請求項６】
前記接続受部の最上部は、両端が上に反り上がり、間は水平に凹んだ曲面構造を採用することを特徴とする、請求項１に記載のシャベル柄部の接続装置。
【考案の詳細な説明】
【技術分野】
【０００１】
本考案は清掃道具の分野に関し、具体的にシャベル柄部の接続装置を指す。
【背景技術】
【０００２】
シャベルは物を取り込むまたは取り除く用具であり、一般的なシャベルはシャベル柄部と、シャベル柄部と接続されるシャベルさじ部とを含み、このうち、シャベル柄部は握る部分であり、シャベルさじ部は物を取り込むまたは取り除く部分である。市場で比較的よく見られるシャベルでは、一般的にシャベル柄部およびシャベルさじ部はネジ式結合により接続する方式を採用して固定され、つながる。上記方式を採用した場合、シャベルを長期的に使用すると、容易に緩みが生じ、接続が十分に安定しない問題が存在する。
【考案の概要】
【考案が解決しようとする課題】
【０００３】
既存技術に存在する欠点を解決するため、本考案は接続が安定し、容易に緩まないシャベル柄部の接続装置を提供する。
【課題を解決するための手段】
【０００４】
上記目的を実現するため、本考案が採用する技術案は次の通りである。シャベル柄部の接続装置は、シャベル柄部およびシャベルさじ部を接続する接続モジュールを含み、接続モジュールは接続部品および接続受部を含む。接続部品の前端に接続部および位置制限部が設置され、接続部に位置制限留め具が設置され、接続受部はシャベルさじ部内に嵌設される。接続受部内に接続部を挿入させる接続溝が設けられ、接続溝の内壁に位置制限留め具を係入させる位置制限溝が設けられる。接続部品は接続受部内に挿着固定される。位置制限部の外側壁の一部分および接続受部の内側壁の一部分が包囲して収容空洞を形成する。シャベル柄部の一端は、収容空洞内に挿着固定される。
【０００５】
シャベル柄部の接続装置の使用は、まず接続受部を予めシャベルさじ部内に嵌設し、シャベルさじ部と一体成型の構造とする。接続部品の接続部を接続受部の接続溝に正確に合わせて挿入し、所定の位置まで挿入すると、接続部品および接続受部は位置制限留め具および位置制限溝により、係着固定してつながる。接続すると、接続部品の位置制限部および接続受部の接続溝は入口端で１つの収容空洞を形成し、シャベル柄部を収容空洞内に挿入して、シャベル柄部と、接続部品および接続受部とを固定してつなげることを実現する。上記案を採用すると、位置制限留め具および位置制限溝の組合せにより、接続部品および接続受部の間の堅固な接続を実現することができ、これによりシャベル柄部およびシャベルさじ部の間の接続は堅固になり、容易に緩みが生じない。
【０００６】
さらなる改良として、位置制限留め具に前から後に傾斜して設置される第１斜面を有する。前記位置制限溝外に第１斜面と適合し、位置制限留め具を誘導して位置制限溝に滑り込ませる第２斜面が設置される。前記位置制限溝内に、第１斜面とぴったりと合わせることができる第３斜面が設置される。上記案を採用すると、第１斜面の設置により、接続部品が接続受部に挿入されたとき、第１斜面は圧を受けて、位置制限留め具を順調に位置制限溝中に係入することができ、挿着は便利であり、実施が容易である。第２斜面の設置により、位置制限留め具を誘導して位置制限溝中に滑り込ませることができる。第３斜面の設置により、位置制限留め具および位置制限溝を緊密に組み合わせることができ、第１斜面の摩耗を減少させる。
【０００７】
さらなる改良として、位置制限留め具は接続部品の軸方向に沿って間隔を空けて分布し、のこぎり状の留め具を形成する。位置制限溝は接続受部の軸方向に沿って間隔を空けて分布し、のこぎり状の係着溝を形成する。接続部品および接続受部は、位置制限留め具および位置制限溝の相互の噛合により、係着固定してつながる。のこぎり状の設計を採用することにより、接続受部および接続部品の接続はより安定し、堅固である。
【０００８】
さらなる改良として、シャベル柄部および接続部品は挿着部分でリベットにより固定されてつながる。リベットを採用すると、固定構造は簡単で、コストは比較的低い。固定後はハンドルの軸が使用過程で回転し、揺れ動くのを効果的に防止することができる。
【０００９】
さらなる改良として、位置制限留め具は接続部の底部に設置され、接続部の最上部に補強板が設けられる。補強板の設計により、接続部の強度を高め、これによりシャベルは使用過程で比較的大きな外力に耐えることができる。
【００１０】
さらなる改良として、接続受部の最上部は、両端が上に反り上がり、間は水平に凹んだ曲面構造を採用する。上記構造を採用することにより、接続受部はシャベルさじ部内部に比較的良好に嵌設することができ、使用過程で緩みが生じることはない。
【図面の簡単な説明】
【００１１】
【図１】図１は、シャベル柄部の接続装置の立体図である。
【図２】図２は、シャベル柄部の接続装置の分解概要図である。
【図３】図３は、シャベル柄部の接続装置の断面図である。
【図４】図４は、シャベル柄部の接続装置と、シャベル柄部およびシャベルさじ部とを接続した後の立体図である。
【考案を実施するための形態】
【００１２】
以下、図および実施例を組み合わせて、本考案についてさらに詳細に記載する。
【００１３】
図１から図４に示すように、シャベル柄部の接続装置は、シャベル柄部１およびシャベルさじ部を接続する接続モジュールを含み、接続モジュールは接続部品２および接続受部３を含む。
【００１４】
接続部品２の前端に接続部２１および位置制限部２２が設置され、接続部２１に位置制限留め具２１１が設置され、前記位置制限留め具２１１は前から後に傾斜して設置される第１斜面２１１１を有する。位置制限留め具２１１は接続部品２の軸方向に沿って間隔を空けて分布し、のこぎり状の留め具を形成する。接続部品および接続受部の接続部分における強度を高めるため、本案では位置制限留め具２１１を接続部の底部に設置し、接続部の最上部に補強板を設ける。補強板により、接続部の全体強度を高めている。
【００１５】
接続受部３はシャベルさじ部内に嵌設される。接続受部をシャベルさじ部内に堅固に設置することができるようにするため、接続受部３の最上部を両端が上に反り上がり、間は水平に凹んだ曲面構造に設計する。該方式を採用すると、シャベルさじ部の射出成形を行うとき、接続受部およびシャベルさじ部の間の接触面積を増大することができ、最終的に形成される製品は比較的高い強度を有する。接続受部３内に接続部２１を挿入させる接続溝３１が設けられ、接続溝３１の内壁に位置制限留め具２１１を係入させる位置制限溝３１１が設けられる。前記位置制限溝３１１外に、第１斜面２１１１と適合し、位置制限留め具２１１を誘導して位置制限溝３１１に滑り込ませる第２斜面３１１２が設置される。前記位置制限溝３１１内に、第１斜面２１１１とぴったりと合わせることができる第３斜面３１１１が設置される。位置制限溝３１１は接続受部３の軸方向に沿って間隔を空けて分布し、のこぎり状の係着溝を形成する。
【００１６】
接続部品２は接続受部３内に挿着固定される。接続部品２および接続受部３は、位置制限留め具２１１および位置制限溝３１１が相互に噛合することにより、係着固定してつながる。位置制限部２２の外側壁の一部分および接続受部の内側壁の一部分が包囲して収容空洞３３を形成する。シャベル柄部の一端は収容空洞３３内に挿着固定される。シャベル柄部１および接続部２は挿着部分でリベットにより固定されてつながる。
【符号の説明】
【００１７】
１  シャベル柄部
２  接続部品
２１  接続部
２１１  位置制限留め具
２１１１  第１斜面
２２  位置制限部
３  接続受部
３１  接続溝
３１１  位置制限溝
３１１１  第３斜面
３１１２  第２斜面
３３  収容空洞
【図１】
0003223042.tif 000003
【図２】
0003223042.tif 000004
【図３】
0003223042.tif 000005
【図４】
0003223042.tif 000006